(57)【要約】【課題】表示部の自重では下降することなく、上昇させる際には軽い力で表示部を容易に上昇させることができるようにした、支持機構を提供する。【解決手段】表示部を昇降可能に支持する支持機構である。支持部材と、支持部材に対し昇降可能に設けられ、かつ表示部を保持する可動部４を備えている。軸部とこれを保持する筒部とからなるフリーストップヒンジ１３の筒部を、支持部材に固定している。フリーストップヒンジ１３の軸部に、これの一方向への回転に対して連れ回りし、かつ他方向への回転に対して軸部を空転させるワンウェイクラッチ１５を連結している。ワンウェイクラッチ１５に係合部材１６を連結している。係合部材１６に、可動部４にその昇降方向に沿って設けられた係合部２０を係合させている。【選択図】　　図２
2004029953.tif 000002
【特許請求の範囲】
【請求項１】
表示部を昇降可能に支持する支持機構であって、
支持部材と、該支持部材に対し昇降可能に設けられ、かつ前記表示部を保持する可動部とを備え、
軸部とこれを保持する筒部とからなり、これら軸部及び筒部の間にこれらを相対的に回転させる方向に所定の力以上の力が加えられた際、軸部が筒部に対し相対的に回転し、所定の力未満の力では軸部の相対的な回動を不可とするフリーストップヒンジの筒部を、前記支持部材に固定し、
前記フリーストップヒンジの軸部に、該軸部の一方向への回転に対して連れ回りし、かつ他方向への回転に対して該軸部を空転させるワンウェイクラッチを連結し、
前記ワンウェイクラッチに係合部材を連結し、
前記係合部材に、前記可動部にその昇降方向に沿って設けられた係合部を係合させたことを特徴とする支持機構。
【請求項２】
前記支持部材は、支持本体と、この支持本体に、その面が傾斜する方向に回動可能に設けられ、かつ前記可動部を昇降可能に保持する固定板とを備えてなり、これら支持本体と固定板との間には、該支持本体に対する固定板の傾斜角を可変にする第２のフリーストップヒンジが設けられていることを特徴とする請求項１記載の支持機構。
【発明の詳細な説明】
【０００１】
【発明の属する技術分野】
本発明は、パソコンやテレビ等の薄型ディスプレイなどからなる表示部を、昇降可能に支持する支持機構に関する。
【０００２】
【従来の技術】
パソコンやテレビ等の表示装置では、液晶画面などが一般化するにしたがい、表示部、すなわちディスプレイの薄型化が進められている。例えばノート型パソコンでは、液晶画面を備えた蓋部分が開かれ、そのまま表示画面として機能するようになっている。
【０００３】
【発明が解決しようとする課題】
ところで、近年ではこのようなディスプレイが普及するに連れ、その使い勝手についてもさまざまな要求がなされるようになってきている。例えば、表示部（表示画面）の高さや表示画面の角度（傾斜角）を、使用者の体格や好み等に応じて自由に調整できるものが望まれている。
【０００４】
しかしながら、特に表示部の高さを自由に調整できるようにする場合、表示部を支持する支持機構においては、以下の解決すべき課題がある。
すなわち、表示部の高さを自由に調整できるように支持するためには、支持機構として、表示部の重さで下降することなくこれを支持する機能を持たせなくてはならない。一方、表示部を上昇させる際には、通常は単に表示部を押し上げるだけの操作で表示部の上昇を行うことから、十分に軽い力で表示部側がこれを支持する側から容易に上昇する必要がある。なぜなら、表示部側がこれを支持する側から容易に上昇しないと、表示部を押し上げた際、これを支持する側までもが持ち上がってしまい、高さ調整を容易にかつ良好に行うことができなくなってしまうからである。
【０００５】
本発明は前記事情に鑑みてなされたもので、その目的とするところは、表示部の自重では下降することなく、上昇させる際には軽い力で表示部を容易に上昇させることができるようにした、支持機構を提供することにある。
【０００６】
【課題を解決するための手段】
本発明の支持機構では、表示部を昇降可能に支持する支持機構であって、支持部材と、該支持部材に対し昇降可能に設けられ、かつ前記表示部を保持する可動部とを備え、軸部とこれを保持する筒部とからなり、これら軸部及び筒部の間にこれらを相対的に回転させる方向に所定の力以上の力が加えられた際、軸部が筒部に対し相対的に回転し、所定の力未満の力では軸部の相対的な回動を不可とするフリーストップヒンジの筒部を、前記支持部材に固定し、前記フリーストップヒンジの軸部に、該軸部の一方向への回転に対して連れ回りし、かつ他方向への回転に対して該軸部を空転させるワンウェイクラッチを連結し、前記ワンウェイクラッチに係合部材を連結し、前記係合部材に、前記可動部にその昇降方向に沿って設けられた係合部を係合させたことを前記課題の解決手段とした。
【０００７】
この支持機構によれば、表示部を上昇させるようこれを押し上げたときには、前記ワンウェイクラッチが前記フリーストップヒンジの軸部を空転させるようにし、表示部を下降させるようこれを押し下げたときには、前記ワンウェイクラッチが軸部を連れ回りすることによって前記フリーストップヒンジによる負荷が生じるようにしておくことにより、表示部を上昇させるときには表示部の重さ以外ほとんど負荷を感じることなくこれが容易に持ち上がる。
また、高さ調整を終えた後には、表示部はその自重で下降しようとするものの、フリーストップヒンジによる負荷が生じることにより、下降することなくその位置にフリーストップで保持固定される。
さらに、表示部を下降させるときには、フリーストップヒンジによる負荷を越えた力を加えることにより、容易に下降して所望位置に引き下げられるようになる。
【０００８】
また、前記支持機構においては、前記支持部材が、支持本体と、この支持本体に、その面が傾斜する方向に回動可能に設けられ、かつ前記可動部を昇降可能に保持する固定板とを備えてなり、これら支持本体と固定板との間には、該支持本体に対する固定板の傾斜角を可変にする第２のフリーストップヒンジが設けられているのが好ましい。
【０００９】
このようにすれば、第２のフリーストップヒンジにより、固定板に可動部を介して保持された表示部の傾斜角の調整も、フリーストップで可能になる。
【００１０】
【発明の実施の形態】
以下、本発明の支持機構を詳しく説明する。
図１（ａ）、（ｂ）は本発明の支持機構を、パソコンやテレビ等の表示装置にける、ディスプレイの支持機構に適用した場合の一例を示す図であり、これらの図において符号１は支持機構、２はディスプレイ、Ｃは支持機構１の要部を覆うカバーである。
【００１１】
支持機構１は、支持部材３と、図２（ａ）、（ｂ）に示す可動板（可動部）４とを備えて構成されたものである。支持部材３は、図１（ａ）、（ｂ）に示した支持本体５と図２（ａ）、（ｂ）に示した固定板６とを備えたもので、図１（ａ）、（ｂ）に示したようにこれら支持本体５と固定板６との間に連結部７を有したものである。支持本体５は、平らに置かれて全体を支持する設置板８と、この設置板８に対し所定の傾斜角で取り付けられた傾斜板９とからなるもので、傾斜板９の上端部に前記連結部７を設けたものである。
【００１２】
連結部７は、円筒部材１０と、この円筒部材１０の孔内に保持固定された一対のフリーストップヒンジ（第２のフリーストップヒンジ）１１とからなるものである。フリーストップヒンジ１１は、図３（ａ）、（ｂ）に示すように軸部１１ａとこれを保持する筒部１１ｂとからなる樹脂製のもので、例えばヘキサトルク（登録商標）によって形成されるものである。このフリーストップヒンジ１１は、筒部１１ｂ内に保持される軸部１１ａの基端部側（図示せず）が、筒部１１ｂの内面に圧接した状態に挿通されたもので、これにより軸部１１ａと筒部１１ｂとの間には、これらを相対的に回動させようとした際、摩擦によって負荷が与えられるようになっている。
【００１３】
すなわち、このような構成のもとにフリーストップヒンジ１１は、軸部１１ａ及び筒部１１ｂの間に、これらを相対的に回転させる方向に所定の力以上の力（設定された摩擦力を上回る力）が加えられた際、軸部１１ａが筒部１１ｂに対し相対的に回転し、所定の力未満の力（設定された摩擦力を下回る力）では、軸部１１ａの相対的な回動を不可とするようになっているのである。
【００１４】
なお、これらフリーストップヒンジ１１、１１は、いずれもその軸部１１ａ側を外側に突出させた状態で円筒部材１０に固定されており、突出した軸部１１ａ、１１ａには、図１（ａ）、（ｂ）に示したようにそれぞれネジ等によって固定板６の連結板６ａ、６ａが固定されている。
固定板６は、その面方向を前記連結部７のフリーストップヒンジ１１の軸方向に一致させた矩形板状のもので、図２（ａ）、（ｂ）に示したように連結板６ａ、６ａと反対の側の面に、スライドベアリング１２を介して前記可動板４を取り付けたものである。
【００１５】
スライドベアリング１２は、板状の固定部材１２ａと、これに対し相対的に移動可能に保持された板状の可動部材１２ｂとを有してなる公知のもので、前記固定板６に固定部材１２ａが、また前記可動板４に可動部材１２ｂがそれぞれ固定され、かつこれらがその長さ方向を鉛直方向に向けて配設されたものである。固定部材１２ａと可動部材１２ｂとの間には多数のベアリング（図示せず）が配設されており、これによって可動部材１２ｂは、固定部材１２ａに対し円滑に移動、すなわち鉛直方向に昇降するようになっている。このような構成のもとに可動部材１２ｂに取り付けられた可動板４は、固定部材１２ａに取り付けられた固定板６に対し昇降可能となっているのである。
【００１６】
また、前記固定板６には、図２（ｂ）中破線で示すようにその可動板４側の面にフリーストップヒンジ１３が取付固定されている。このフリーストップヒンジ１３は、図３（ａ）、（ｂ）に示した前記フリーストップヒンジ１１と同様の構成からなるもので、例えばヘキサトルク（登録商標）によって形成されるものである。このフリーストップヒンジ１３は、その筒部（図示せず）がブラケット（図示せず）等によって固定板６に固定されており、その軸部（図示せず）には図２（ｂ）に示したようにワンウェイクラッチユニット１４が連結されている。
【００１７】
ワンウェイクラッチユニット１４は、図４（ａ）〜（ｃ）に示すように前記フリーストップヒンジ１３の軸部に連結するワンウェイクラッチ１５と、このワンウェイクラッチ１５に外挿した状態で一体に連結したギア部（係合部材）１６とからなるものである。ワンウェイクラッチ１５は、例えば図５（ａ）、（ｂ）に示すような作動機構を有するものである。
【００１８】
すなわち、その孔部（図４（ｃ）中の符号１５ａ）に挿通された軸１７（本例においてはフリーストップヒンジ１３の軸部となる）に対し、ワンウェイクラッチ１５が例えば図５（ａ）に示すように時計回り方向に回転しようとすると、ワンウェイクラッチ１５の内面に設けられたバネ１８のスプリング作用により、ころ１９がワンウェイクラッチ１５の筒部１５ｂのカム面のかみ合い位置に進み、筒部１５ｂと軸１７とのくさび作用で軸１７が筒部１５ｂに連れ回りし、回転駆動する。
逆に、ワンウェイクラッチ１５が図５（ｂ）に示すように反時計回り方向に回転しようとすると、軸１７は筒部１５ｂに対して相対的に時計回り方向に回転することになり、ころ１９は筒部１５ｂのカム面から離れ、これにより筒部１５ｂは軸１７に対して空転する。
【００１９】
なお、このような作動機構においては、ワンウェイクラッチ１５の筒部１５ｂと軸１７（フリーストップヒンジ１３の軸部）との動作は相対的なものである。すなわち、図５（ａ）に示した例では、軸１７が反時計回り方向に回転した場合に、筒部１５ｂは相対的に時計回り方向に回転することから、筒部１５ｂは軸１７に連れ回りするものとなる。また、図５（ｂ）に示した例では、軸１７が時計回り方向に回転した場合に、筒部１５ｂは相対的に反時計回り方向に回転することから、筒部１５ｂは軸１７を空転させるものとなる。
【００２０】
ギア部１６は、図４（ａ）〜（ｃ）に示したように円筒状のもので、その孔部１６ａの一端側に前記ワンウェイクラッチ１５を挿通させた状態でこれを連結固定したものである。また、ワンウェイクラッチ１５を挿通させた側と反対の側には、その外周部に歯車１６ｂが形成されており、この歯車１６ｂには、図２（ａ）、（ｂ）に示したようにラック（係合部）２０が歯合（係合）されている。
【００２１】
ラック２０は、可動板４にアーチ状の取付部材２１を介して取付固定されたもので、可動板４の移動方向、すなわちスライドベアリング１２による昇降方向に沿ってネジ止め等により固定されたものである。
また、可動板４にも、ラック２０と対向する位置にラック形状の係合部（図示せず）を設け、この係合部とラック２０とで前記ギア部１６を係合した状態で挟み、これによって後述する可動板４の昇降が安定して円滑になされるようにしてもよい。
【００２２】
ここで、前記ワンウェイクラッチユニット１４は、ラック２０に連結した可動板４が固定板６に対し上昇する方向に移動するとき、ラック２０、ギア部１６を介して伝達された回転力を受けたワンウェイクラッチ１５の筒部１５ｂが、フリーストップヒンジ１３の軸部に対し空転するように配設されている。また、可動板４が固定板６に対し下降する方向に移動するときには、筒部１５ｂがフリーストップヒンジ１３の軸部を連れ回りさせることにより、この軸部とフリーストップヒンジ１３の筒部との間に摩擦力（負荷）を発生させるように配設されている。
【００２３】
なお、前記ラック２０、さらには可動板４にも係合部を設けた場合にはこの係合部が、本発明において前記ギア部１６に係合する係合部となる。
また、可動板４に係合部を設けることなく、該可動板４がギア部１６に干渉しないように、このギア部１６が相対的に移動する可動板４の位置を切り欠いておいてもよい。
【００２４】
可動板４は、前述したようにスライドベアリング１２によって固定板６に対し昇降可能に設けられ、かつフリーストップヒンジ１３、ワンウェイクラッチユニット１５、ラック２０を介して固定板６に対する相対的な移動（昇降）が制御されるようになっている。また、この可動板４には図１（ａ）、（ｂ）に示したようにディスプレイ２が取付固定されており、さらに、可動板４および固定板６等を覆って前記カバーＣが被着されている。
【００２５】
次に、このような構成からなる支持機構１の動作を説明する。
まず、図１（ａ）、（ｂ）中実線で示すようにディスプレイ２が低い位置にある状態から、図１（ａ）、（ｂ）中二点鎖線で示すような高い位置に上げたい場合には、ディスプレイ２の下側などを持ち上げ、所望の高さに合わせる。このとき、前述したようにワンウェイクラッチユニット１４は、可動板４が固定板６に対し上昇する方向に移動するとき、その筒部１５ｂがフリーストップヒンジ１３の軸部に対し空転するようになっていることから、操作者はディスプレイ２の重さ以外ほとんど負荷を感じることなく、このディスプレイ２を容易に持ち上げることができる。
【００２６】
また、このようにして所望の高さに合わせた後には、ディスプレイ２に力を加えない限り、ディスプレイ２はその位置に固定される。すなわち、ディスプレイ２は自重で下降しようとするものの、前述したようにフリーストップヒンジ１３において、その軸部と筒部との間で摩擦による負荷が生じることにより、下降することなくその位置に固定されるのである。なお、このような機構により、ディスプレイ２は可動板４の固定板６に対する可動範囲において、フリーストップで保持固定されるものとなっている。
なお、前記フリーストップヒンジ１３としては、その軸部と筒部とによる摩擦によって生じる負荷が、ディスプレイ２や可動板４などの合計の重量に対しては十分に大きくしたがってこれらの重量では軸部と筒部とが相対的に回転せず、前記合計重量に所定の荷重（比較的小さい荷重、すなわち比較的小さい力）が加わったときには、軸部と筒部とが相対的に回転するように設定されたものが用いられる。
【００２７】
また、ディスプレイ２を、図１（ａ）、（ｂ）中二点鎖線で示す高い位置から図１（ａ）、（ｂ）中実線で示すような低い位置に下げたい場合には、ディスプレイ２の上側などを押し下げ、所望の高さに合わせる。このとき、この押し下げに対しては前述したようにフリーストップヒンジ１３による負荷が生じているものの、押し下げは比較的力を入れやすく、また持ち上げる場合のようにディスプレイ２だけでなく支持部材３まで一緒に持ち上がるといったこともないため、簡単かつ良好に所望する位置に押し下げることができる。
【００２８】
また、ディスプレイ２の画面を図１（ａ）中の矢印で示すように回動させ、その支持部材３に対する角度（傾斜角）を調整した場合には、単にディスプレイ２の上部あるいは下部などに力を加え、所望する角度に調整する。すると、ディスプレイ２が可動板４を介して取り付けられた固定板６と、支持本体５との間に連結部７が設けられ、この連結部７にフリーストップヒンジ１１、１１が設けられていることから、このフリーストップヒンジ１１、１１の摩擦力による負荷を上回る力でディスプレイ２を回動することにより、ディスプレイ２の角度（傾斜角）を容易に調整することができ、また、調整後には、フリーストップヒンジ１１、１１の摩擦力によってその状態（位置）が保持される。
【００２９】
このような支持機構１にあっては、ディスプレイ２の高さをフリーストップで調整することができる。また、特にディスプレイ２を高い位置に上げたい場合には、ディスプレイ２の重さ以外ほとんど負荷を感じることなく、このディスプレイ２を容易に持ち上げることができるようにしたので、ディスプレイ２だけでなく支持部材３まで一緒に持ち上がるといった不具合を防止することができる。
また、連結部７に一対のフリーストップヒンジ１１、１１を設けたことにより、ディスプレイ２の角度（傾斜角）の調整もフリーストップで行うことができる。
【００３０】
なお、本発明は前記の例に限定されることなく、本発明の要旨を逸脱しないかぎり種々の変更が可能である。例えば、前記例ではフリーストップヒンジ１１、１３の例としてヘキサトルク（登録商標）を挙げたが、これに代えて、シュアトルク（登録商標）をフリーストップヒンジ１１、１３として用いてもよい。
【００３１】
【発明の効果】
以上説明したように本発明の支持機構によれば、表示部の高さをフリーストップで調整することができる。また、特に表示部を高い位置に上げたい場合に、表示部の重さ以外ほとんど負荷を感じることなく、この表示部を容易に持ち上げることができるので、表示部だけでなくこれを支持する側までが一緒に持ち上がってしまうといった不具合を防止することができる。
また、第２のフリーストップヒンジを設ければ、固定板に可動部を介して保持された表示部の傾斜角の調整も、フリーストップで行うことがでるようになる。
【図面の簡単な説明】
【図１】本発明の支持機構の一例の使用形態を説明するための図であり、（ａ）は側面図、（ｂ）は背面図である。
【図２】図１に示した支持機構の要部の概略構成を説明するための図であり、（ａ）は側面図、（ｂ）は背面図である。
【図３】フリーストップヒンジの概略構成を説明するための図であり、（ａ）は正面図、（ｂ）は側面図である。
【図４】ワンウェイクラッチユニットをの概略構成を説明するための図であり、（ａ）は正面図、（ｂ）は側面図、（ｃ）は側断面図である。
【図５】（ａ）、（ｂ）はワンウェイクラッチの作動機構を説明するための模式図である。
【符号の説明】
１…支持機構、２…ディスプレイ（表示部）、３…支持部材、
４…可動板（可動部）、５…支持本体、６…固定板、
１１…フリーストップヒンジ（第２のフリーストップヒンジ）、
１３…フリーストップヒンジ、１５…ワンウェイクラッチ、
１６…ギア部（係合部材）、２０…ラック（係合部）
【図１】
2004029953.tif 000003
【図２】
2004029953.tif 000004
【図３】
2004029953.tif 000005
【図４】
2004029953.tif 000006
【図５】
2004029953.tif 000007